(57)【要約】【課題】構造が簡単で必要な部材点数が少なく、かつ施工現場において少人数で速やかに組み立てることが可能な壁面収納庫１０及びその施工方法を提供することを目的とする。【解決方法】少なくとも一枚の天板２１と２枚の側板１１を備え、各側板１１の後端部を壁面５５に固定するとともに各側板１１の底部を床面５６に固定し、かつ両側板１１を天板２１で連結し、両側板１１間に棚板３０を架設して壁面収納庫１０を構成する。そして、壁面収納庫１０の施工に際しては、天板２１と両側板１１を門型に組み立て、次ぎに門型に組み立てた両側板１１と天板２１を後壁５５に沿って設置し、続いて各側板１１の後端部を壁面５５に固着するとともに各側板１１の底部を床面５６に固着し、壁面５５と床５６に固定した側板１１間に棚板３０を架設する。【選択図】図１
2007063793.tif 000002
【特許請求の範囲】
【請求項１】
少なくとも一枚の天板と２枚の側板を備え、各側板の後端部を壁面に固定するとともに各側板の底部を床面に固定し、かつ天板の一端を一方の側板の上端部に固着し、天板の他端を他方の側板の上端部に固着して両側板を天板で連結し、両側板間に棚板を架設したことを特徴とする壁面収納庫。
【請求項２】
少なくとも一枚の天板と２枚の側板を備え、天板の一端を一方の側板の上端部に固着し、天板の他端を他方の側板の上端部に固着して両側板と天板を門型に組み立て、次ぎに門型に組み立てた両側板と天板を後壁に沿って設置し、続いて各側板の後端部を壁面に固着するとともに各側板の底部を床面に固着し、ついで両側板間に棚板を架設することを特徴とする壁面収納庫の施工方法。
【発明の詳細な説明】
【技術分野】
【０００１】
本発明は壁面収納庫及びその施工方法に関する。
【背景技術】
【０００２】
壁面収納庫の一形式として、特開２０００−２４８７３５号公報には両側の側板、中央の仕切板、側板と仕切板間に架設した背板、天板、底板からなる角箱形の収納箱体を廊下等の壁に埋設設置した壁面収納庫が開示されている。
また、特開２００４−１０８１０３号公報には後壁に後受け桟を取付け、左右の側壁に側受け桟を取付け、両側受け桟の前端部間に前框を架設し、後受け桟、側受け桟及び前框に棚板を載置して構成した壁面収納庫が開示されている。
【特許文献１】特開２０００−２４８７３５号公報
【特許文献２】特開２００４−１０８１０３号公報
【発明の開示】
【発明が解決しようとする課題】
【０００３】
特許文献１記載の壁面収納庫では側板、仕切板、背板、天板、底板等多数の部材を使って組み立てた角箱状の収納箱体を必要とするため製造コストが高くなる。また、収納箱体は大きく嵩張っているため、施工現場までの運搬や施工現場における設置作業に人手を要し、施工コストが高くなる。
特許文献２記載の壁面収納庫は、施工現場で後受け桟、側受け桟、前框等多くの部材を壁面に取り付ける面倒な現場作業を必要とするため、施工に甚だ時間がかかる。
【０００４】
本発明はかかる問題点に鑑み、構造が簡単で必要な部材点数が少なく、かつ施工現場において少人数で速やかに組み立てることが可能な壁面収納庫及びその施工方法を提供することを目的とする。
【課題を解決するための手段】
【０００５】
請求項１に記載の壁面収納庫は、少なくとも一枚の天板と２枚の側板を備え、各側板の後端部を壁面に固定するとともに各側板の底部を床面に固定し、かつ天板の一端を一方の側板の上端部に固着し、天板の他端を他方の側板の上端部に固着して両側板を天板で連結し、両側板間に棚板を架設したことを特徴とする。
請求項２に記載の壁面収納庫の施工方法は、少なくとも一枚の天板と２枚の側板を備え、天板の一端を一方の側板の上端部に固着し、天板の他端を他方の側板の上端部に固着して両側板と天板を門型に組み立て、次ぎに門型に組み立てた両側板と天板を後壁に沿って設置し、続いて各側板の後端部を壁面に固着するとともに各側板の底部を床面に固着し、ついで両側板間に棚板を架設することを特徴とする。
【発明の効果】
【０００６】
本発明に係る壁面収納庫は両側板を壁面と床面の両面に固定し、かつ両側板を天板で連結するので、箱体のように背板や底板を使わずに強固な構造の壁面収納庫を組み立てることができる。しかして、箱体構造に比べ背板や底板を省略できるので部材点数が少なく、構造が簡単になる。そのため製造コスト及び施工コストを低減できる。また、両側板間に棚板を架設するので、棚板支持用の受け桟を壁に取り付ける作業も省略でき、組立作業も簡単である。
本発明に係る壁面収納庫の施工方法は両側板と天板を門型に組み立てた後に後壁に沿って設置するので、取扱が容易となり少人数による組立施工作業が可能となる。
【発明を実施するための最良の形態】
【０００７】
少なくとも一枚の天板と２枚の側板を備え、各側板の後端部を壁面に固定するとともに各側板の底部を床面に固定し、かつ天板の一端を一方の側板の上端部に固着し、天板の他端を他方の側板の上端部に固着して両側板を天板で連結し、両側板間に棚板を架設して壁面収納庫を構成する。そして、壁面収納庫の施工に際しては、天板の一端を一方の側板の上端部に固着し、天板の他端を他方の側板の上端部に固着して両側板と天板を門型に組み立て、次ぎに門型に組み立てた両側板と天板を後壁に沿って設置し、続いて各側板の後端部を壁面に固着するとともに各側板の底部を床面に固着し、壁面と床に固定した側板間に棚板を架設する。
【実施例】
【０００８】
以下に本発明の一実施例に係る壁面収納庫及びその施工方法を図に基づき説明する。図１には本発明に係る施工方法で施工した壁面収納庫１０を示す。当該収納庫１０は４枚の側板１１と３枚の天板２１、適宜枚数の棚板３０，側板１１の上端部に天板２１を固着するための連結金具４０、側板１１を後壁５５と床面５６に固着するためのＬ字形ブラケット６０及び側壁５７と側板１１間に介装した２枚のスペーサー７０を備えている。
【０００９】
各側板１１の前縁と後縁には多数のダボ穴１２が等間隔で縦一列に形成されている。図２に示すように各天板２１の下面には連結金具４０のケーシング用嵌合穴２２が４隅に形成されている。
【００１０】
連結金具は図２に示すように円筒型ケーシング４１、スクリュー４２及びサポートブラケット４３から構成される。ケーシング４１の外周部には１本の係合縦溝４４と断面三角形の凸条４５が複数本形成されている。ケーシング４１は天板２１のケーシング用嵌合穴２２に圧入すると凸条４５が穴２２の内周面に嵌着して脱落しなくなる。また、ケーシング４１には円形の係合片４６が回転可能に内蔵され、係合片の中心部にドライバーが嵌合する十字穴４７が設けられている。サポートブラケット４３はベース４８と、このベース４８に一体に立設され、ケーシング４１の係合縦溝４４に係合する凸片４９を備えている。凸片４９にはスクリュウー用の通孔５０が形成され、さらにスクリュー用通孔５０の近辺に係合片４６が解除可能に係合する被係合部（図示略）が設けられている。ベース４８にはドライバー用の通孔５１が形成されている。
【００１１】
Ｌ字形ブラケット６０は図３及び図４に示すように、断面Ｌ字形を有し、一面６１に円形通孔６２が形成され、この一面６１に対して直角に折れ曲がった他面６３に長穴が形成されている。
【００１２】
図５に示すように、各棚板３０の裏面の四隅にはダボ１３が嵌合する半円形の凹部３１が形成されている。
【００１３】
壁面収納庫１０を構成する各部材の構造は以上の通りであって、次ぎに壁面の施工手順を図２、図６及び図７に基づき説明する。まず施工現場において、図２に示すように一枚の天板２１の四隅の嵌合穴２２に連結金具４０のケーシング４１を嵌着する。一方、２枚の側板１１の各々について側板１１の上部の前後２個のダボ穴１２にサポートブラケット４３をスクリュー４２で固着する。そして、天板２１に取り付けたケーシング４１をサポートブラケット４３に落とし込み、係合縦溝４４を凸片４９に係合し、通孔５１からドライバーを十字穴に差し込み、係合片を回してサポートブラケットの被係合部に係合させ、ケーシング４１とサポートブラケットを一体に連結する。これにより、２枚の側板１１の上端部に天板２１の左右両端部が固着され、両側板１１が天板２１で連結される。こうして図６に示すように、２枚の側板１１と一枚の天板２１を門型に組み立てる。
【００１４】
続いて、門型に組み立てた２枚の側板１１と一枚の天板２１を後壁５５に沿って設置し、図３に示すようにＬ字形ブラケット６０の通孔６２にビスを通して側板１１の後端部にＬ字形ブラケット６０を固着し、Ｌ字形ブラケット６０の長穴６４にビスを通してＬ字形ブラケット６０を後壁５５に固着する。同様にして図４に示すようにＬ字形ブラケット６０を側板１１の底部に固着するとともに床面５６に固着する。こうして図７に示すように、門型に組み立てた側板１１の後端部を後壁５５に固定し、側板１１の底部を床面５６に固定する。
【００１５】
次ぎに、図７に示すように、後壁と床面に固定した２枚目の側板１１に２枚目の天板２１の一端を連結金具４０で固着し、ついで、天板２１の他端に連結金具４０で３枚目の側板１１を連結する。そして、連結した側板１１をＬ字形ブラケット６０で後壁５５と床面５６に固定する。同様にして３枚目の天板２１の一端を３枚目の側板１１に連結し、この天板２１の他端に４枚目の側板１１を連結し、この側板１１をＬ字形ブラケット６０で後壁５５と床面５６に固定する。一枚目の側板１１と側壁５７間及び４枚目の側板１１と側壁間にスペーサー７０を装着する。最後に、図５に示すように側板１１のダボ穴１２にダボ１３を装着し、ダボ１３に棚板３０を載置する。
【００１６】
本実施形態に係る壁面収納庫１０は各側板１１を壁面５５と床面５６に固定し、かつ側板１１を天２１板で連結するので、箱体のように強固な構造となる。しかしながら、箱体のように背板や底板を必要としないので、箱体構造に比べ部材点数が少なく、製造コスト及び施工コストを低減できる。
そして、両側板１１と天板２１を門型に組み立てた後に後壁に沿って設置するので、少人数による施工作業が可能であり、低コストで施工できる。
とくに、Ｌ字形のブラケット６０を用いて側板１１を後壁５５と床面５６に固着するので、側板１１の固着作業が簡単、容易である。
【００１７】
本実施例に係る壁面収納庫１０の施工では、先に１枚目の側板１１と２枚目の側板１１を一枚の天板２１で門型に組み立てた後、壁に沿って設置し、側板１１をＬ字形ブラケット６０で壁面５５と床面５６に固定したが、先に１枚目の側板１１を壁面５５と床面５６にＬ字形ブラケット６０で固定しておき、次ぎに固定した側板１１の上端部に１枚目の天板２１の一端を連結金具４０で連結し、続いて２枚目の側板１１を連結金具４０で１枚目の天板２１の他端に連結し、その後、２枚目の側板１１をＬ字形ブラケット６０で壁面５５と床面５６に固定する手順を採用することもできる。
【００１８】
また、本実施例に係る壁面収納庫１０では図２に示す構造の連結金具４０を用いて、側板１１と天板２１を連結したが、この連結金具４０に変えて、釘やビスのようなもので側板１１と天板２１を連結すれば、より一層施工コストを低減できる。
【図面の簡単な説明】
【００１９】
【図１】本発明の実施例に係る壁面収納庫を示す斜視図ある。
【図２】同収納庫に使用した連結金具を示す分解斜視図である。
【図３】同収納庫に使用したＬ字形ブラケットの壁面への取付方法を示す説明図である。
【図４】同収納庫に使用したＬ字形ブラケットの床面への取付方法を示す説明図である。
【図５】同収納庫における棚板の取付方法を示す説明図である。
【図６】同収納庫の施工手順を示す説明図である。
【図７】同収納庫の施工手順を示す説明図である。
【符号の説明】
【００２０】
１０…壁面収納庫、１１…側板、１２…ダボ穴、２１…天板、３０…棚板、４０…連結金具、５５…後壁、５６…床面、６０…Ｌ字形ブラケット。
【図１】
2007063793.tif 000003
【図２】
2007063793.tif 000004
【図３】
2007063793.tif 000005
【図４】
2007063793.tif 000006
【図５】
2007063793.tif 000007
【図６】
2007063793.tif 000008
【図７】
2007063793.tif 000009